【事件の表示】
　特願２００９−５１８２８９「３Ｇ無線ハンドセットに対するオーバレイベースの拡張されたテレビサービスのための方法および装置」拒絶査定不服審判事件〔平成２０年　１月１０日国際公開、ＷＯ２００８／００５３２６、平成２１年１２月　３日国内公表、特表２００９−５４３４５５〕について、次のとおり審決する。
【結　論】
　本件審判の請求は、成り立たない。
【理　由】
第１．手続の経緯
　本願は、２００７年（平成１９年）６月２７日（パリ条約による優先権主張２００６年（平成１８年）６月３０日、アメリカ合衆国）を国際出願日とする特許出願であって、平成２３年７月２６日付けの拒絶理由通知に対し、平成２３年１０月３１日付けで手続補正がなされたが、平成２４年４月１１日付けで拒絶査定がなされ、これに対し、平成２４年８月１４日に審判請求がなされると同時に同日付けで手続補正がなされたものである。
　
第２．平成２４年８月１４日付けの手続補正についての補正却下の決定
［補正却下の決定の結論］
　　平成２４年８月１４日付けの手続補正を却下する。
［理由］
１．補正の内容
　この補正は特許請求の範囲の請求項１−８についてするものであって、そのうち請求項１については、その発明を特定する事項である「拡張されたコンテンツ」を、「
対話的かつ
　
２．補正の適否
　この補正は、補正前の請求項１における発明を特定する事項である「拡張されたコンテンツ」に「対話的かつ」との限定を付するものである。
　したがって、この補正は、特許法第１７条の２第５項第２号に規定された特許請求の範囲の減縮を目的とするものである。
　そこで、補正後の請求項１に係る発明（以下、「本願補正発明」という）が特許出願の際独立して特許を受けることができるものであるか否か（特許法第１７条の２第６項において準用する同法第１２６条第７項の規定に違反するか否か）について以下に検討する。
　
（１）本願補正発明
　本願補正発明は、上記補正後の請求項１に記載された事項により特定される次のとおりのものである。
　
「テレビ番組を受信することが可能な携帯機器に対話的かつ拡張されたコンテンツ情報を提供する方法であって、前記携帯機器が前記対話的かつ拡張されたコンテンツ情報を表示し前記携帯機器から前記対話的かつ拡張されたコンテンツに関する情報を伝送するための内部に組み込まれたＧＵＩを有し、
　前記携帯機器において、ユニキャストチャネル経由で提供される前記対話的かつ拡張されたコンテンツ情報を表示し前記携帯機器から前記対話的かつ拡張されたコンテンツに関する情報を伝送するためのグラフィカルユーザインターフェイス（ＧＵＩ）を提供するステップと、
　視聴のために特定のテレビ番組のユーザ選択を示すユーザ要求を伝送するステップと、
　前記特定のＴＶ番組に関する前記対話的かつ拡張されたコンテンツを受信するステップとを含み、
　対話的なテレビガイド、出演背景情報およびオーバレイＧＵＩのいずれかを備えた前記対話的かつ拡張されたコンテンツ情報が、特定の通信ネットワークを用いた前記対話的かつ拡張されたコンテンツを伝送するためのユニキャスト経由で、異なる通信ネットワークを用いた前記対話的かつ拡張されたコンテンツに関する特定のＴＶプログラムを伝送するためのブロードキャストチャネルおよびマルチキャストチャネルの１つと同時に提供される、方法。」
　
　ここで、「対話的なテレビガイド、出演背景情報およびオーバレイＧＵＩのいずれかを備えた前記対話的かつ拡張されたコンテンツ情報」との記載は、「テレビガイド」、「出演背景情報」および「オーバレイＧＵＩ」のうち少なくともいずれか１つを選択的に備えた「コンテンツ情報」を意味しているから、本願補正発明は、この意味で複数の発明を包含しているものであり、そのうちの１つとして、オーバレイＧＵＩを備えた次の発明（以下、「本願補正発明１」という）を含んでいると認められる。
　
「テレビ番組を受信することが可能な携帯機器に対話的かつ拡張されたコンテンツ情報を提供する方法であって、前記携帯機器が前記対話的かつ拡張されたコンテンツ情報を表示し前記携帯機器から前記対話的かつ拡張されたコンテンツに関する情報を伝送するための内部に組み込まれたＧＵＩを有し、
　前記携帯機器において、ユニキャストチャネル経由で提供される前記対話的かつ拡張されたコンテンツ情報を表示し前記携帯機器から前記対話的かつ拡張されたコンテンツに関する情報を伝送するためのグラフィカルユーザインターフェイス（ＧＵＩ）を提供するステップと、
　視聴のために特定のテレビ番組のユーザ選択を示すユーザ要求を伝送するステップと、
　前記特定のＴＶ番組に関する前記対話的かつ拡張されたコンテンツを受信するステップとを含み、
　オーバレイＧＵＩを備えた前記対話的かつ拡張されたコンテンツ情報が、特定の通信ネットワークを用いた前記対話的かつ拡張されたコンテンツを伝送するためのユニキャスト経由で、異なる通信ネットワークを用いた前記対話的かつ拡張されたコンテンツに関する特定のＴＶプログラムを伝送するためのブロードキャストチャネルおよびマルチキャストチャネルの１つと同時に提供される、方法。」
　
（２）刊行物の記載事項
　原査定の拒絶の理由に引用された本願の優先権主張の日前に頒布された刊行物である特開２００５−１３００７５号公報（以下、「刊行物１」という）には、図面とともに、次の事項が記載されている。
　
「【０００１】
  本発明は、テレビジョン受信機、セットトップボックス、パーソナルコンピュータ、携帯電話機などのテレビジョン放送を受信する装置に関するものである。」
　
「【００５２】
  以下では、当該発明にかかる実施するための最良の形態について、図面を参照しつつ説明を行う。
（実施の形態１）
  以下本発明の実施の形態１を、図面を参照しながら説明する。図１は、本発明の実施の形態１におけるテレビジョン受信機を含むシステムの構成を示す図である。図１に示すシステムは、番組提供装置１、放送局装置２、テレビジョン受信機３、プロモーション情報サーバ５、複数の情報サーバ６、および通信網４を備える。このうち、テレビジョン受信機３とプロモーション情報サーバ５と情報サーバ６とは、通信網４を介して相互に通信可能に接続されている。また、番組提供装置１と放送局装置２、番組提供装置１とプロモーション情報サーバ５とは、専用線で常時接続されている。なお、図１には１台のテレビジョン受信機３のみが示されているが、図１に示すシステムには、実際には多数のテレビジョン受信機３が含まれる。」
　
「【００５４】
  プロモーション情報サーバ５は、テレビジョン番組を提供する事業者（以下、「番組提供事業者」という。）によって管理されるサーバである。番組提供事業者は、プロモーション情報をプロモーションサーバ５に蓄積する。プロモーション情報とは、例えば、ある映画番組の概要が分かるプレビュー情報、あるドラマ番組を評論家が評論した情報、あるバラエティ番組の視聴率ランキング情報、あるニュース番組の視聴者投票のランキング情報などをいう。番組提供事業者は作成したプロモーション情報をテレビジョン受信機３で利用できる形式のプロモーション情報に変換し、得られたプロモーション情報を、専用線を介して接続されたプロモーション情報サーバ５に送信する。上述したように、テレビジョン受信機３は、通信網４を介してプロモーション情報サーバ５と通信可能に接続されている。そこで、テレビジョン受信機３は、通信網４を介してプロモーション情報サーバ５にアクセスし、プロモーション情報サーバ５からプロモーション情報を取得する。テレビジョン受信機３は、プロモーション情報サーバ５から取得したプロモーション情報をテレビジョン映像に重畳して、あるいは、テレビジョン映像と共にテレビジョン画面に表示する。
【００５５】
  放送局装置２は、テレビジョン放送事業者によって管理される装置である。放送局装置２は、テレビジョン受信機３にテレビジョン信号を送信する。また、番組提供事業者は作成したプロモーション情報にアクセスするための情報（以下、「アクセス情報」という。）をテレビジョン受信機３で利用できる形式のアクセス情報に変換し、得られたアクセス情報を、専用線を介して接続された放送局装置２に送信する。放送局装置２は、番組表を提供する事業者が作成した番組表を構成するための情報（以下、「番組情報」という。）を、図示しない専用線を介して受信し、テレビジョン受信機３で利用できる形式の番組情報に変換する。放送局装置２は、テレビジョン受信機３に対し、テレビジョン信号にアクセス情報と番組情報を含んで送信する。
【００５６】
  テレビジョン受信機３は、テレビジョン受信機能を有する。すなわち、テレビジョン受信機３は、放送局装置２から送信されたテレビジョン信号を受信し、受信したテレビジョン信号に基づきテレビジョン映像を求め、求めたテレビジョン映像をテレビジョン画面に表示する。テレビジョン放送事業者が行うテレビジョン放送は、典型的にはデジタル方式のテレビジョン放送であるが、アナログ方式のテレビジョン放送であってもよい。」
　
「【００６３】
  ビットマップ記憶部１１６は、ＯＳＤ表示に用いるビットマップ情報を記憶する。ビットマップ情報には、プロモーション情報の提示画面を構成するためのアイコンも含まれる。」
　
「【００７９】
  次にプロモーション情報の内容に対応するアイコンのビットマップを、ビットマップ記憶部１１６から読み出す。制御部１１１は、読み出したアイコンのビットマップを使い、ＯＳＤ処理部を用いて、番組表のプロモーション情報の提示部を表示する。アイコンのビットマップは、予めビットマップ記憶部１１６に記憶されても良いし、テレビジョン信号を用いてダウンロードされても良い。また、ユーザが番組表のプロモーション情報の提示部を操作して、プロモーション情報を視聴する指示をする場合に備えて、プロモーション情報の提示部のアイコンとリンク先ＵＲＩおよびリンク先媒体を対応付けておく（ステップＳ２１８）。ステップＳ２１７で有効期限外であれば、ステップＳ２１８は実行されない。また、その時点でアクセス情報およびアクセス情報ＵＲＩは消去しても良い。対応付けられているアクセス情報ＵＲＩ数に応じてステップＳ２１５からステップＳ２１８の処理は続けられる。全てのアクセス情報で処理を終了させれば、次の番組情報に対する番組表を追加する処理に戻るが、画面上に番組表を追加できない場合や未処理の番組情報が無くなった場合は処理を終了する。
【００８０】
  図６は、本発明の実施の形態１におけるテレビジョン受信機１００によるプロモーション情報を表示する処理を示すフローチャートである。テレビジョン受信機１００の制御部１１１は、ユーザがリモコンなどを用いて、プロモーション情報の表示を指示したときに、以下の処理を実行する。
【００８１】
  ユーザは、ステップＳ２１８で表示された番組表のプロモーション情報の提示部を用いて、プロモーション情報の表示指示をすることができる。制御部１１１は、入力部１１３を介してプロモーション情報の表示指示を認識すると（ステップＳ２２１）、制御部１１１は、選択されたプロモーション情報を認識し、対応付けられているリンク先媒体を検証する。リンク先媒体が、ネットワークである場合は通信部１１２を用いて、放送である場合はチューナ１０１を用いて、リンク先ＵＲＩにアクセスする（ステップＳ２２２）。次にリンク先ＵＲＩからプロモーション情報のコンテンツを取得する（ステップＳ２２４）。制御部１１１は、デコーダ１０３またはＯＳＤ処理部１０４を用いて、取得したプロモーション情報のコンテンツに対し、適切なデコードした後、表示する。この時、合成部１０５を用いて適切な／所定の画面様式となるようにコンテンツを表示する（ステップＳ２２５）。その後、制御部１１１は、ユーザからプロモーション情報の表示終了の指示があれば表示を終了する（ステップＳ２２６）。」
　
「【０１１０】
  図１６は、本発明の実施の形態１におけるテレビジョン受信機１００による番組内容画面の第一の実施例を示す図である。テレビジョン受信機１００の制御部１１１は、ユーザがリモコンなどを用いて、番組内容の表示の指示があったときこの画面を表示する。
【０１１１】
  番組内容表示画面３４１には、視聴中の番組を縮小表示した画面３４２と、該当する番組の（この例ではクラッシックコンサート）詳細な内容の表示画面と、該当する番組のプロモーション情報を示すアイコンが含まれる。ユーザは、操作ガイド３０２の記述に基づいてカーソル３４３を操作してアイコンを選択決定し、該当する番組のプロモーション情報を見ることもできる。」
　
「【図１】
　　　　　　　　　　　　　　　　　　　　　　　　　　　　　　　　　」
　
「【図１６】
　　　　　　　　　　　　　　　　　　　　　　　　　　　　　　　　　」
　
（３）刊行物１発明
　以上の記載及び図面の記載から、刊行物１には、プロモーション情報サーバから通信網を介してプロモーション情報を取得する携帯電話機について記載されており、この携帯電話機がプロモーション情報を取得する方法を発明として捉えると、刊行物１には、以下の方法の発明（以下、「刊行物１発明」という）が記載されているといえる（【０００１】などは、それぞれ該当する事項についての記載がある刊行物１の段落番号を示す）。
　
　放送局装置からテレビジョン放送を受信する携帯電話機で（【０００１】【００５５】）評論情報などのプロモーション情報をプロモーション情報サーバから通信網を介して取得する方法であって、（【００５４】）
　前記携帯電話機が、選択決定して該当する番組のプロモーション情報を見るための前記プロモーション情報を示すアイコンを記憶し、（【００６３】【０１１１】）
　ユーザがリモコンを用いて番組内容の表示の指示をすると、視聴中の番組を縮小表示した画面と、該当する番組の詳細な内容の表示画面と、該当する番組のプロモーション情報を示すアイコンが含まれる番組内容画面を表示し、（【０１１０】【０１１１】）
　ユーザが該アイコンを選択決定すると、（【０１１１】）
　選択決定されたアイコンと対応付けられたリンク先媒体を検証し、リンク先媒体がネットワークである場合は通信部を用いて、選択決定されたアイコンと対応付けられたリンク先ＵＲＩにアクセスし、（【００７９】【００８１】）
　該リンク先ＵＲＩからプロモーション情報のコンテンツを取得する、（【００８１】）
　方法。
　
（４）本願補正発明１と刊行物１発明との対比
　
Ａ．「テレビ番組を受信することが可能な携帯機器に対話的かつ拡張されたコンテンツ情報を提供する方法」
　
　本件の発明は、明細書の記載によると、「３Ｇブロードキャストマルチキャストサービスは、受信者が送信者に何らかのフィードバックを提供するメカニズムが適切に存在していないという意味で、スケーラブルな単方向の伝送を提供する。同様に、アナログおよびデジタルの両ブロードキャストネットワークも単方向の伝送を提供するだけである。チャネルを切り替える以外に、ユーザは視聴している対象に関する他の制御を有していない。したがって、ネットワーク内での設備投資を最小化するのと共に、携帯機器からのより対話的なテレビ視聴感を提供する必要がある」（【００１０】）という課題を解決するために、「テレビ番組向けのビデオストリームがマルチキャストまたはブロードキャストチャネル上で搬送されることに加えて、ユニキャストチャネルが、対話的でありかつテレビ番組用のビデオストリームより帯域幅の消費が小さいコンテンツを提供するように各ユーザに対して設定される」ものであり、「こういった対話的なコンテンツとして、テレビガイド、出演者の経歴、および「Ａｍｅｒｉｃａｎ　Ｉｄｏｌ」などの人気テレビショー向けの投票などが挙げられる」（【００１１】）から、本願補正発明１において、「対話的かつ拡張されたコンテンツ」とは、ネットワーク上での単方向の伝送ではなく双方向の伝送を提供し、かつ、番組コンテンツに加えて情報を提供するコンテンツを意味しているものである。
　一方、刊行物１発明では、ユーザが選択決定したアイコンと対応付けられたリンク先ＵＲＩにアクセスし、該リンク先ＵＲＩからプロモーション情報のコンテンツを取得するのであるから、該プロモーション情報のコンテンツは対話的といえる。また、このプロモーション情報のコンテンツは、例えば、「あるドラマ番組を評論家が評論した情報」（評論情報）（【００５４】）であるから、番組コンテンツに加えて情報を提供するものであって、拡張されたコンテンツといえる。
　したがって、刊行物１発明におけるプロモーション情報は、本願補正発明１の「対話的かつ拡張されたコンテンツ情報」に相当する。
　刊行物１発明は、「放送局装置からテレビジョン放送を受信する携帯電話機で、評論情報などのプロモーション情報をプロモーション情報サーバから通信網を介して取得する方法」であるが、プロモーション情報サーバ側からみれば、テレビジョン放送を受信することが可能な携帯電話機にプロモーション情報を提供する方法といえる。
　したがって、本願補正発明１と刊行物１発明とは、「テレビ番組を受信することが可能な携帯機器に対話的かつ拡張されたコンテンツ情報を提供する方法」である点で一致する。
　
Ｂ．「前記携帯機器が前記対話的かつ拡張されたコンテンツ情報を表示し前記携帯機器から前記対話的かつ拡張されたコンテンツに関する情報を伝送するための内部に組み込まれたＧＵＩを有し」
　
　刊行物１発明では、プロモーション情報（上記Ａで述べたように、本願補正発明１の「対話的かつ拡張されたコンテンツ情報」に相当）は携帯電話機で見るためのもの（すなわち、表示されるもの）であり、そのために携帯電話機はプロモーション情報を示すアイコンを記憶し、表示し、ユーザが選択決定し、選択決定されたアイコンと対応付けられたリンク先ＵＲＩからプロモーション情報のコンテンツを取得するのであるから、刊行物１発明のアイコンは、プロモーション情報を表示しプロモーション情報を選択決定した情報（すなわち、プロモーション情報に関する情報）を伝送するためのものといえる。また、携帯電話機に記憶されたアイコンは、ビットマップ情報であり（【００６３】）、内部に組み込まれたＧＵＩといえる。
　したがって、刊行物１発明のアイコンは、本願補正発明１の「前記携帯機器が前記対話的かつ拡張されたコンテンツ情報を表示し前記携帯機器から前記対話的かつ拡張されたコンテンツに関する情報を伝送するための内部に組み込まれたＧＵＩ」に相当するものであるといえる。
　よって、本願補正発明１と刊行物１発明は、「前記携帯機器が前記対話的かつ拡張されたコンテンツ情報を表示し前記携帯機器から前記対話的かつ拡張されたコンテンツに関する情報を伝送するための内部に組み込まれたＧＵＩを有」する点で一致する。
　
Ｃ．「前記携帯機器において、ユニキャストチャネル経由で提供される前記対話的かつ拡張されたコンテンツ情報を表示し前記携帯機器から前記対話的かつ拡張されたコンテンツに関する情報を伝送するためのグラフィカルユーザインターフェイス（ＧＵＩ）を提供するステップ」
　
　刊行物１発明では、上記Ｂで述べたように、携帯電話機において、アイコン（本願補正発明１でいう「前記対話的かつ拡張されたコンテンツ情報を表示し前記携帯機器から前記対話的かつ拡張されたコンテンツに関する情報を伝送するためのグラフィカルユーザインターフェイス（ＧＵＩ）」）が表示される。また、プロモーション情報（本願補正発明１でいう「コンテンツ情報」）は通信網を介して取得され、該通信網は、携帯電話機とプロモーション情報サーバをＵＲＬにより接続するもの（【００６７】）であるから、ユニキャストチャネルといえる。
　したがって、本願補正発明１と刊行物１発明とは、「前記携帯機器において、ユニキャストチャネル経由で提供される前記対話的かつ拡張されたコンテンツ情報を表示し前記携帯機器から前記対話的かつ拡張されたコンテンツに関する情報を伝送するためのグラフィカルユーザインターフェイス（ＧＵＩ）を提供するステップ」を含む点で一致する。
　
Ｄ．「視聴のために特定のテレビ番組のユーザ選択を示すユーザ要求を伝送するステップ」
　
　本願補正発明１のこのステップにおいて、“視聴のためにユーザ要求を伝送する”とは、この次のステップが拡張されたコンテンツを受信するステップであることから、拡張されたコンテンツを視聴するために、該拡張されたコンテンツのユーザ要求を伝送するという意味であると認められる。
　また、このユーザ要求が、“特定のテレビ番組のユーザ選択を示す”ものであるとは、本願明細書の「本発明の例示の実施形態では、対話的なコンテンツは、テレビ番組と関連づけられており、通常のテレビ番組の上に表示されるオーバレイのグラフィックユーザインタフェース（ＧＵＩ）を通じて視聴者によって有利にアクセス可能である。」（【００２１】）との記載から、対話的なコンテンツへのアクセス（ユーザ要求）が、ユーザが選択したテレビ番組に関連づけられたコンテンツへのアクセスであることを意味していると認められる。
　
　刊行物１発明において、プロモーション情報を示すアイコンを選択決定し、対応付けられたリンク先ＵＲＩにアクセスすることは、プロモーション情報を視聴するために、該プロモーション情報をリンク先に要求すること、すなわち、視聴のために、ユーザ要求を伝送することといえる。
　また、このリンク先への要求は、ユーザが選択した視聴中の番組のプロモーション情報に対する要求であるから、特定のテレビ番組のユーザ選択を示すものであるといえる。
　
　したがって、本願補正発明１と刊行物１発明とは、「視聴のために特定のテレビ番組のユーザ選択を示すユーザ要求を伝送するステップ」を含む点で一致する。
　
Ｅ．「前記特定のＴＶ番組に関する前記対話的かつ拡張されたコンテンツを受信するステップ」
　
　刊行物１発明において、視聴中の番組のプロモーション情報のコンテンツを取得することは、本願補正発明１の、特定のＴＶ番組に関する対話的かつ拡張されたコンテンツを受信することに相当するといえる。
　したがって、本願補正発明１と刊行物１発明とは、「前記特定のＴＶ番組に関する前記対話的かつ拡張されたコンテンツを受信するステップ」を含む点で一致する。
　
Ｆ．「オーバレイＧＵＩを備えた前記対話的かつ拡張されたコンテンツ情報が、特定の通信ネットワークを用いた前記対話的かつ拡張されたコンテンツを伝送するためのユニキャスト経由で、異なる通信ネットワークを用いた前記対話的かつ拡張されたコンテンツに関する特定のＴＶプログラムを伝送するためのブロードキャストチャネルおよびマルチキャストチャネルの１つと同時に提供される」
　
　本願補正発明１のこの発明特定事項は、「オーバレイＧＵＩを備えた前記対話的かつ拡張されたコンテンツ情報が、特定の通信ネットワークを用いた前記対話的かつ拡張されたコンテンツを伝送するためのユニキャスト経由で、」「提供される」こと（以下、「特定事項ａ」という）と、「異なる通信ネットワークを用いた前記対話的かつ拡張されたコンテンツに関する特定のＴＶプログラムを伝送するためのブロードキャストチャネルおよびマルチキャストチャネルの１つ」が「提供される」こと（以下、「特定事項ｂ」という）とが「同時」に行われると言い替えられる。
　また、本願補正発明１において、「オーバレイＧＵＩを備えた」コンテンツとは、本願明細書の「本発明の例示の実施形態では、対話的なコンテンツは、テレビ番組と関連づけられており、通常のテレビ番組の上に表示されるオーバレイのグラフィックユーザインタフェース（ＧＵＩ）を通じて視聴者によって有利にアクセス可能である。図３は、メニュー３１０が携帯機器３３０の画面３２０の小さい一部分を占める実施例のＧＵＩ３００を示す。本発明によれば、例えば拡張されたコンテンツ検索が必要とされる場合に、メニュー項目が、キーパッド入力またはタッチスクリーン機能のいずれかを使用してオンデマンドで表示されることが可能である。」（【００２１】）との記載から、オーバレイＧＵＩを通じてアクセス可能なコンテンツであることを意味していると認められる。
　
　上記Ｃで述べたように、刊行物１発明は、「前記携帯機器において、ユニキャストチャネル経由で提供される前記対話的かつ拡張されたコンテンツ情報を表示・・・するためのグラフィカルユーザインターフェイス（ＧＵＩ）を提供するステップ」を含むといえる。このことから、刊行物１発明は、「前記対話的かつ拡張されたコンテンツ情報が、前記対話的かつ拡張されたコンテンツを伝送するためのユニキャスト経由で、提供される」といえ、この提供は、通信網を介して、すなわち、「特定の通信ネットワークを用いた」通信によりなされるといえる。また、該コンテンツはアイコン（「ＧＵＩ」）の選択決定により取得する（すなわち、サーバから提供される）ものであるから、「ＧＵＩを備えた」コンテンツが提供されるといえる。
　したがって、刊行物１発明は、ＧＵＩが“オーバレイ”ＧＵＩである点を除き、本願補正発明１と特定事項ａで共通している。
　
　刊行物１発明は、放送局装置からテレビジョン放送を（デジタル方式やアナログ方式により（【００５６】））受信するから、プロモーション情報サーバから通信網経由でプロモーション情報を取得するのとは「異なる通信ネットワークを用いた」「ＴＶプログラムを伝送するためのブロードキャストチャネル（およびマルチキャストチャネルの１つ）」が提供されるといえる。また、刊行物１発明では、視聴中の（テレビジョン放送の）番組のプロモーション情報をアイコンの選択決定により取得するのであるから、該視聴中の（テレビジョン放送の）番組は、取得するプロモーション情報に関するもの、すなわち、「前記対話的かつ拡張されたコンテンツに関する特定のＴＶプログラム」といえる。
　したがって、刊行物１発明は、本願補正発明１と特定事項ｂで一致する。
　
　刊行物１発明は、縮小表示した放送番組を視聴中に、同じ画面上のアイコンの選択決定によりその番組のプロモーション情報を取得する（すなわち、サーバから提供される）のであるから、プロモーション情報の提供とテレビジョン放送とは同時に行われるものである。
　前者の、プロモーション情報の提供は、ＧＵＩが“オーバレイ”ＧＵＩである点を除き、本願補正発明１の「ＧＵＩを備えた前記対話的かつ拡張されたコンテンツ情報が、特定の通信ネットワークを用いた前記対話的かつ拡張されたコンテンツを伝送するためのユニキャスト経由で、」「提供される」こと（特定事項ａ）に相当し、後者の、テレビジョン放送は、本願補正発明１の「異なる通信ネットワークを用いた前記対話的かつ拡張されたコンテンツに関する特定のＴＶプログラムを伝送するためのブロードキャストチャネルおよびマルチキャストチャネルの１つ」が「提供される」こと（特定事項ｂ）に相当するものであるのは上述したとおりである。
　したがって、本願補正発明１と刊行物１発明とは、ＧＵＩが“オーバレイ”ＧＵＩである点を除き、特定事項ａと特定事項ｂが同時に行われる点で共通している。
　
Ｇ．一致点、相違点
　以上をまとめると、本願補正発明１と刊行物１発明の一致点及び相違点は次のとおりである。
　
［一致点］
　テレビ番組を受信することが可能な携帯機器に対話的かつ拡張されたコンテンツ情報を提供する方法であって、前記携帯機器が前記対話的かつ拡張されたコンテンツ情報を表示し前記携帯機器から前記対話的かつ拡張されたコンテンツに関する情報を伝送するための内部に組み込まれたＧＵＩを有し、
　前記携帯機器において、ユニキャストチャネル経由で提供される前記対話的かつ拡張されたコンテンツ情報を表示し前記携帯機器から前記対話的かつ拡張されたコンテンツに関する情報を伝送するためのグラフィカルユーザインターフェイス（ＧＵＩ）を提供するステップと、
　視聴のために特定のテレビ番組のユーザ選択を示すユーザ要求を伝送するステップと、
　前記特定のＴＶ番組に関する前記対話的かつ拡張されたコンテンツを受信するステップとを含み、
　ＧＵＩを備えた前記対話的かつ拡張されたコンテンツ情報が、特定の通信ネットワークを用いた前記対話的かつ拡張されたコンテンツを伝送するためのユニキャスト経由で、異なる通信ネットワークを用いた前記対話的かつ拡張されたコンテンツに関する特定のＴＶプログラムを伝送するためのブロードキャストチャネルおよびマルチキャストチャネルの１つと同時に提供される、方法。
　
［相違点］
　コンテンツ情報が備えたＧＵＩが、本願補正発明１では、オーバレイＧＵＩであるのに対し、刊行物１発明ではオーバレイではない点。
　
（５）当審の判断
　上記相違点について検討する。
　
　刊行物１発明においては、ユーザがリモコンを用いて番組内容の表示の指示をすると、視聴中の番組を縮小表示した画面と、該当する番組の詳細な内容の表示画面と、該当する番組のプロモーション情報を示すアイコンが含まれる番組内容画面を表示する（上記第２　２．（３）刊行物１発明、【図１６】を参照）。刊行物１発明において、番組内容の表示の指示をしたときに、視聴中の番組も表示されるのは、表示した番組内容の確認や表示したアイコンの選択などを行う際にも、番組の視聴を続けたいためであると理解できる。
　テレビ画面で番組の視聴を続けながら情報を表示するために、番組の上に情報を重ねて表示することは普通に行われているありふれた技術であるから、刊行物１発明において、視聴し続ける番組を縮小せずに表示して、番組の上に番組内容やアイコンなどの情報を重ねて表示すること、すなわち、ＧＵＩをオーバレイＧＵＩとすることは当業者が容易に想到し得ることであり、そのことによる効果は予測されるものである。
　
　したがって、本願補正発明１は、刊行物１発明及び周知技術に基づいて当業者が容易に発明をすることができたものである。よって、本願補正発明１を含んでいる本願補正発明も、刊行物１発明及び周知技術に基づいて当業者が容易に発明をすることができたものであり、本願補正発明は、特許法第２９条第２項の規定により特許出願の際独立して特許を受けることができないものである。
　
（６）まとめ
　以上のとおり、この補正は、特許法第１７条の２第６項において準用する同法第１２６条第７項の規定に違反するので、同法第１５９条第１項において読み替えて準用する同法第５３条第１項の規定により却下すべきものである。
　
第３．本願発明について
１．本願発明
　平成２４年８月１４日付けの手続補正は上記のとおり却下されたので、本願の請求項１−８に係る発明は、平成２３年１０月３１日付け手続補正書の特許請求の範囲の請求項１−８に記載された事項により特定されるものであるところ、その請求項１に係る発明（以下、「本願発明」という）は、請求項１に記載された次のとおりのものである。
　
「テレビ番組を受信することが可能な携帯機器に拡張されたコンテンツ情報を提供する方法であって、前記携帯機器が前記拡張されたコンテンツ情報を表示し前記携帯機器から前記拡張されたコンテンツに関する情報を伝送するための内部に組み込まれたＧＵＩを有し、
　前記携帯機器において、ユニキャストチャネル経由で提供される前記拡張されたコンテンツ情報を表示し前記携帯機器から前記拡張されたコンテンツに関する情報を伝送するためのグラフィカルユーザインターフェイス（ＧＵＩ）を提供するステップと、
　視聴のために特定のテレビ番組のユーザ選択を示すユーザ要求を伝送するステップと、
　前記特定のＴＶ番組に関する前記拡張されたコンテンツを受信するステップとを含み、
　対話的なテレビガイド、出演背景情報およびオーバレイＧＵＩのいずれかを備えた前記拡張されたコンテンツ情報が、特定の通信ネットワークを用いた前記拡張されたコンテンツを伝送するためのユニキャスト経由で、異なる通信ネットワークを用いた前記拡張されたコンテンツに関する特定のＴＶプログラムを伝送するためのブロードキャストチャネルおよびマルチキャストチャネルの１つと同時に提供される、方法。」
　
　上記第２．２．（１）で本願補正発明について述べたのと同様に、本願発明は、次の発明（以下、「本願発明１」という）を含んでいると認められる。
　
「テレビ番組を受信することが可能な携帯機器に拡張されたコンテンツ情報を提供する方法であって、前記携帯機器が前記拡張されたコンテンツ情報を表示し前記携帯機器から前記拡張されたコンテンツに関する情報を伝送するための内部に組み込まれたＧＵＩを有し、
　前記携帯機器において、ユニキャストチャネル経由で提供される前記拡張されたコンテンツ情報を表示し前記携帯機器から前記拡張されたコンテンツに関する情報を伝送するためのグラフィカルユーザインターフェイス（ＧＵＩ）を提供するステップと、
　視聴のために特定のテレビ番組のユーザ選択を示すユーザ要求を伝送するステップと、
　前記特定のＴＶ番組に関する前記拡張されたコンテンツを受信するステップとを含み、
　オーバレイＧＵＩを備えた前記拡張されたコンテンツ情報が、特定の通信ネットワークを用いた前記拡張されたコンテンツを伝送するためのユニキャスト経由で、異なる通信ネットワークを用いた前記拡張されたコンテンツに関する特定のＴＶプログラムを伝送するためのブロードキャストチャネルおよびマルチキャストチャネルの１つと同時に提供される、方法。」
  
２．刊行物の記載事項、刊行物１発明
　原査定の拒絶の理由で引用された刊行物の記載事項および刊行物１発明は、前記第２．２．（２）、（３）に記載したとおりである。
　
３．対比・判断
　本願発明１は、前記第２．２．で検討した本願補正発明１における「対話的かつ拡張されたコンテンツ」の「対話的かつ」との限定事項を省いて「拡張されたコンテンツ」としたものである。刊行物１発明の「評論情報」が、「拡張されたコンテンツ」といえるのは、前記第２．２．（４）で述べたとおりであり、「対話的かつ」との限定事項を省いても対比においてその限定事項が一致点から除かれるのみであるから、本願発明１と刊行物１発明との相違点は、前記第２．２．（４）に記載した本願補正発明１と刊行物１発明との相違点と同じものである。同じ相違点に対する判断は同じものとなるから、本願補正発明１に対する判断と同じく、本願発明１は、刊行物１発明及び周知技術に基づいて当業者が容易に発明をすることができたものである。
　したがって、本願発明１を含んでいる本願発明も、刊行物１発明及び周知技術に基づいて当業者が容易に発明をすることができたものである。
　
第４．むすび
　以上のとおりであるから、本願の請求項１に係る発明は、特許法第２９条第２項の規定により特許を受けることができない。
　したがって、本願は、その余の請求項２−８について論及するまでもなく、拒絶すべきものである。
　よって、結論のとおり審決する。